(57)【要約】【課題】所望の音声と同時に発生したキー押下時の衝撃音を、スピーカから出力するとき減衰させることができる携帯端末装置を提供する。【解決手段】集音した音を第１電気信号へ変換するマイク部２０と、第１電気信号を符号化した第１音声信号を生成する音声処理部４１と、ユーザの入力に基づいて検知信号を出力するキー部３０と、検知信号を受け取ると、第１電気信号に含まれるキー部３０の押下時の衝撃音１００に相当する電気信号を符号化した第２音声信号を生成し、第２音声信号に対して逆位相の第３音声信号を生成するノイズキャンセラ部４２とを具備する。【選択図】図２
2011101301.tif 000002
【特許請求の範囲】
【請求項１】
集音した音を第１電気信号へ変換するマイク部と、
前記第１電気信号を符号化した第１音声信号を生成する音声処理部と、
ユーザの入力に基づいて、検知信号を出力するキー部と、
前記検知信号を受け取ると、前記第１電気信号に含まれる前記キー部の押下時の衝撃音に相当する電気信号を符号化した第２音声信号を生成し、前記第２音声信号に対して逆位相の第３音声信号を生成するノイズキャンセラ部と
を具備する
携帯端末装置。
【請求項２】
請求項１に記載の携帯端末装置であって、
前記ノイズキャンセラ部は、
前記キー部の押下時の衝撃音に相当する電気信号の周波数帯
を有し、
前記ノイズキャンセラ部は、前記第１電気信号から前記周波数帯の電気信号を抽出し、抽出した前記周波数帯の電気信号を符号化して前記第２音声信号を生成する
携帯端末装置。
【請求項３】
請求項１又は２に記載の携帯端末装置であって、
前記音声処理部から受け取る第２電気信号を音として出力するスピーカ部
を更に具備し、
前記音声処理部は、前記第１音声信号と前記第３音声信号とを重ね合わせた前記第２電気信号を生成し、前記スピーカ部へ出力する
携帯端末装置。
【請求項４】
請求項３に記載の携帯端末装置であって、
対象物を撮影し、画像データに変換する画像モジュールと、
前記画像データを表示する表示部と、
前記音声処理部から受け取る前記第１音声信号及び前記第３音声信号と、前記画像モジュールから受け取る前記画像データとを格納する格納部と
を更に具備し、
前記画像モジュールは、前記音声処理部が前記第２電気信号を前記スピーカ部へ出力するとき、前記格納部から前記画像データを取得し前記表示部へ出力する
携帯端末装置。
【請求項５】
第１携帯端末装置と、
前記第１携帯端末装置とネットワークを介して通信する第２携帯端末装置と
を具備し、
前記第１携帯端末装置は、
集音した音を第１電気信号へ変換するマイク部と、
前記第１電気信号を符号化した第１音声信号を生成する第１音声処理部と、
ユーザの入力に基づいて、検知信号を出力するキー部と、
前記検知信号を受け取ると、前記第１電気信号に含まれる前記キー部の押下時の衝撃音に相当する電気信号を符号化した第２音声信号を生成し、前記第２音声信号に対して逆位相の第３音声信号を生成するノイズキャンセラ部と、
前記第１音声信号及び前記第３音声信号を、前記ネットワークを介して前記第２携帯端末装置へ送信する第１通信部と
を備え、
前記第２携帯端末装置は、
前記第１音声信号及び前記第３音声信号を、前記ネットワークを介して前記第１携帯端末装置から受信する第２通信部と、
前記第１音声信号と前記第３音声信号とを重ね合わせた前記第２電気信号を生成する第２音声処理部と、
前記第２電気信号を音として出力するスピーカ部と
を備える
衝撃音減衰システム。
【請求項６】
集音した音を表す第１電気信号を符号化した第１音声信号を生成するステップと、
ユーザがキー部を押下したことを示す検知信号を受け取ると、前記第１電気信号に含まれる前記キー部の押下時の衝撃音に相当する電気信号を符号化した第２音声信号を生成するステップと、
前記第２音声信号に対して逆位相の第３音声信号を生成するステップと
を具備する
衝撃音減衰方法。
【請求項７】
請求項６に記載の衝撃音減衰方法であって、
前記第２音声信号を生成するステップは、
前記第１電気信号から、前記キー部の押下時の衝撃音に相当する周波数帯の電気信号を抽出するステップと、
前記周波数帯の電気信号を符号化して前記第２音声信号を生成するステップと
を備える
衝撃音減衰方法。
【請求項８】
請求項６又は７に記載の衝撃音減衰方法であって、
前記第１音声信号と前記第３音声信号とを重ね合わせた第２電気信号を生成するステップと、
前記第２電気信号を音として出力するステップと
を更に具備する
衝撃音減衰方法。
【請求項９】
請求項８に記載の衝撃音減衰方法であって、
撮影された対象物の画像データを生成するステップと、
前記第２電気信号を音として出力するとき、前記画像データを前記ユーザが認識できるように表示するステップと
を更に具備する
衝撃音減衰方法。
【請求項１０】
請求項６乃至９の何れか一項に記載の方法をコンピュータに実行させる
衝撃音減衰プログラム。
【発明の詳細な説明】
【技術分野】
【０００１】
本発明は携帯端末装置に関し、特にキー押下時の衝撃音の減衰方法に関する。
【背景技術】
【０００２】
動画撮影ができる携帯端末装置は、ユーザ操作に基づいて動画撮影中にズーム機能などの撮影機能を駆動し、シーンに合わせた動画を撮影することができる。そのような中、撮影中の携帯端末装置に起因する雑音を防止することは重要であり、様々な技術が開発されている。
【０００３】
特許文献１には、ボタンの操作音が記録されることを防止する音声記録装置に関する技術が開示されている。特許文献１の音声記録装置は、シャッターボタンへの接触の検知に基づきノッチフィルタが作動し、ノッチフィルタがマイクロフォンから出力された音声信号からシャッターボタンの操作時に発生する音の信号成分を除去することを特徴としている。このような音声記録装置は、ボタンの操作音が記録音声に混入されることを防止できるというものである。
【先行技術文献】
【特許文献】
【０００４】
【特許文献１】特開２００６−３９１０５号公報
【発明の概要】
【発明が解決しようとする課題】
【０００５】
前述したように、携帯端末装置を用いて動画を撮影するユーザは、キーを操作してズーム機能など各種の撮影機能を駆動させ、所望の動画を撮影することができる。しかし、携帯端末装置のマイクロフォンは、ユーザがキーを押下した時に発生する物理的な音（キー押下時の衝突による衝撃音）も、所望の音声と同時に集音してしまう。従って、録音中にキーが操作された携帯端末装置には、所望の音声とキー押下時の衝撃音とが同時に録音されており、音声（動画）を再生する時に、所望の音声とキー押下時の衝撃音とが一緒に再生されてしまう問題がある。そこで、携帯端末装置のキー素材をシリコン素材に変更して、キー押下時の衝撃力を緩和する方法が考えられている。しかし、携帯端末装置のマイクロフォンは、小さな音まで集音できる程に集音機能が発達しているため、ボタンの素材を変更するだけでは十分な対策とはならない。特に、携帯端末装置では、マイクロフォンとキーとの距離が近く、マイクロフォンはキー押下時の衝撃音を直接音として集音しやすい。更に、携帯端末装置では、特有の薄型密閉構造によって、マイクロフォンがキー押下時の衝撃音を内部で反射した反射音としても集音してしまう。
【０００６】
本発明の目的は、所望の音声と同時に発生したキー押下時の衝撃音を、スピーカから出力するとき減衰させることができる携帯端末装置を提供することにある。
【課題を解決するための手段】
【０００７】
本発明の携帯端末装置は、集音した音を第１電気信号へ変換するマイク部と、第１電気信号を符号化した第１音声信号を生成する音声処理部と、ユーザの入力に基づいて検知信号を出力するキー部と、検知信号を受け取ると、第１電気信号に含まれるキー部の押下時の衝撃音に相当する電気信号を符号化した第２音声信号を生成し、第２音声信号に対して逆位相の第３音声信号を生成するノイズキャンセラ部とを具備する。
【０００８】
本発明の衝撃音減衰方法は、集音した音を表す第１電気信号を符号化した第１音声信号を生成するステップと、ユーザがキー部を押下したことを示す検知信号を受け取ると、第１電気信号に含まれるキー部の押下時の衝撃音に相当する電気信号を符号化した第２音声信号を生成するステップと、第２音声信号に対して逆位相の第３音声信号を生成するステップとを具備する。
【０００９】
本発明の衝撃音減衰プログラムは、集音した音を表す第１電気信号を符号化した第１音声信号を生成するステップと、ユーザがキー部を押下したことを示す検知信号を受け取ると、第１電気信号に含まれるキー部の押下時の衝撃音に相当する電気信号を符号化した第２音声信号を生成するステップと、第２音声信号に対して逆位相の第３音声信号を生成するステップとを具備する。
【発明の効果】
【００１０】
本発明の携帯端末装置は、所望の音声と同時に発生したキー押下時の衝撃音を、スピーカから出力するとき減衰させることができる。
【図面の簡単な説明】
【００１１】
【図１】図１は、本発明の第１の実施の形態による携帯端末装置１の斜視図である。
【図２】図２は、本発明の携帯端末装置１の機能ブロック図である。
【図３】図３は、携帯端末装置１の実施の形態における、ハードウエア構成例を示すブロック図である。
【図４】図４は、本発明の第１の実施の形態による携帯端末装置１の処理動作を示したフローチャートである。
【図５】図５は、本発明の第２の実施の形態による衝撃音減衰システムを示す模式図である。
【図６】図６は、本発明の第２の実施の形態による衝撃音減退システムの処理動作を示したフローチャートである。
【発明を実施するための形態】
【００１２】
以下、添付図面を参照して本発明の実施の形態による携帯端末装置、衝撃音減衰方法、衝撃音減衰プログラムおよび衝撃音減衰システムを説明する。
【００１３】
（第１の実施の形態）
図１は、本発明の第１の実施の形態による携帯端末装置１の斜視図である。図１を参照すると、携帯端末装置１は、折りたたみ型の携帯電話機であり、入力装置としてマイク部２０とキー部３０とを備え、出力装置としてスピーカ部１０と表示部８０とを備える。携帯端末装置１は、マイク部２０がユーザ所望の音声と同時に発生したキー部３０の衝撃音１００を集音するが、スピーカ部１０から出力するときに衝撃音１００を減衰させることができる。マイク部２０が集音するキー部３０の衝撃音１００には、直接音と筐体内部を反射する反射音とが含まれる。尚、携帯端末装置１は、折りたたみ型として説明するが、ストレート型や、スライド型などでもよい。
【００１４】
図２は、本発明の携帯端末装置１の機能ブロック図である。図２を参照すると、携帯端末装置１は、スピーカ部１０と、マイク部２０と、キー部３０と、音声モジュール４０と、通信部５０と、格納部６０と、画像モジュール７０と、表示部８０とを具備する。
【００１５】
スピーカ部１０は、音声モジュール４０から受け取る電気信号を、ユーザが認識できる音として出力する。マイク部２０は、周囲の音を集音し、集音した音を電気信号へ変換する。マイク部２０は、集音した音を表す電気信号を音声モジュール４０へ出力する。
【００１６】
キー部３０は、ユーザに押下されると、ユーザ入力を示す信号を携帯端末装置１の各部へ出力する。つまり、ユーザはキー部３０を用いて、携帯端末装置１を操作することができる。例えば、キー部３０は、携帯電話機のダイヤルボタン、メニューボタン、動画の撮影に係るボタンなどが挙げられる。キー部３０は、ユーザに押下されると電気的スイッチ構造を利用し、ユーザがキー部３０を押下したことを示す検知信号を音声モジュール４０、詳細には後述するノイズキャンセラ部４２へ出力する。
【００１７】
音声モジュール４０は、音声処理として、音を表す電気信号の符号化と符号化された音声信号の復号化とを行う。音声モジュール４０は、音声処理部４１と、ノイズキャンセラ部４２とを備える。音声処理部４１は、マイク部２０から集音した音を表す電気信号を受け取ると、その電気信号を符号化した音声信号を生成する。但し、当該音声信号にはユーザ所望の音声の他に、キー部３０の押下時の衝撃音１００も含まれている。以降、ユーザ所望の音声とキー部３０の押下時の衝撃音１００とを含む符号化された音声信号を原音信号と称する。
【００１８】
ノイズキャンセラ部４２は、キー部３０から受け取る検知信号に基づいて動作する。ノイズキャンセラ部４２は、検知信号を受け取ると、マイク部２０から受け取る電気信号に含まれる、キー部３０の押下時の衝撃音１００に相当する電気信号を符号化した音声信号を生成する。詳細には、ノイズキャンセラ部４２は、予めキー部３０の押下時の衝撃音１００に相当する電気信号の周波数帯を有している。ノイズキャンセラ部４２は、検知信号を受け取ると、マイク部２０から受け取る電気信号から、衝撃音１００に相当する周波数帯の電気信号を抽出する。そして、ノイズキャンセラ部４２は、抽出した衝撃音１００に相当する周波数帯の電気信号を符号化する。以降、符号化された衝撃音１００に相当する電気信号を衝撃音信号と称する。続いて、ノイズキャンセラ部４２は、衝撃音信号に対して逆位相の音声信号を生成し、音声処理部４１へ提供する。
【００１９】
音声処理部４１は、キー部３０の押下時の衝撃音１００を含む原音信号と、衝撃音信号に対して逆位相の音声信号とを通信部５０又は格納部６０へ提供する。また、音声処理部４１は、スピーカ部１０へ出力するときに、通信部５０及び格納部６０から原音信号と、衝撃音信号に対して逆位相の音声信号とを取得する。そして、音声処理部４１は、原音信号と衝撃音信号に対して逆位相の音声信号とを重ね合わせた電気信号を生成し、スピーカ部１０へ出力する。原音信号と、衝撃音信号に対して逆位相の音声信号とが重ね合わされた電気信号は、衝撃音１００が減衰された音としてスピーカ部１０から出力される。
【００２０】
通信部５０は、音声処理部４１から受け取る原音信号及び衝撃音信号に対して逆位相の音声信号を、携帯端末装置１と通信する他の携帯端末装置へ送信する。また、通信部５０は、他の携帯端末装置から原音信号及び衝撃音信号に対して逆位相の音声信号を受信し、音声処理部４１へ提供する。
【００２１】
格納部６０は、音声処理部４１から受け取る原音信号及び衝撃音信号に対して逆位相の音声信号を格納する。また、格納部６０は、画像モジュール７０から受け取る画像データを格納する。
【００２２】
画像モジュール７０は、対象物を撮影し、画像データに変換する。画像モジュール７０は、撮像部７１と、画像処理部７２とを備える。撮像部７１は、レンズ及びＣＣＤ（Ｃｈａｒｇｅ  Ｃｏｕｐｌｅｄ  Ｄｅｖｉｃｅ）などの撮像素子を有し、受けた光を電気信号へ変換する。画像処理部７２は、電気信号を画像データに変換し、格納部６０へ提供する。また、画像モジュール７０は、格納部６０に格納されている画像データを取得し、画像データを表示部８０へ出力する。
【００２３】
表示部８０は、携帯端末装置１に係る各種データをユーザが認識できるように表示する。特に、表示部８０は、画像処理部７２から画像データを受け取ると、ユーザが認識できるように表示する。
【００２４】
本発明の実施の形態による携帯端末装置１は、コンピュータを用いて実現可能である。図３は、携帯端末装置１の実施の形態における、ハードウエア構成例を示すブロック図である。図３を参照すると、本発明の携帯端末装置１は、ＣＰＵ（Ｃｅｎｔｒａｌ  Ｐｒｏｃｅｓｓｉｎｇ  Ｕｎｉｔ）２００と、記憶装置２０１と、入力装置２０２と、出力装置２０３と、各装置を接続するバス２０４とを備えるコンピュータシステムで構成される。
【００２５】
ＣＰＵ２００は、記憶装置２０１に格納されている本発明の携帯端末装置１に係る演算処理及び制御処理を行う。記憶装置２０１は、ハードディスクやメモリなど、情報の記録を行う装置である。記憶装置２０１は、ＣＤ−ＲＯＭやＤＶＤ等のコンピュータ読み取り可能な記憶媒体から読み取られたプログラム、入力装置２０２から入力された信号やプログラム、及びＣＰＵ２００の処理結果を格納する。入力装置２０２は、ボタン、マイクロフォンなど、ユーザがコマンド及び信号を入力することが出来る装置である。出力装置２０３は、ディスプレイ、スピーカなど、ユーザに出力結果を認識させる装置である。尚、本発明はハードウエア構成例と示したものに限定されず、各部はハードウエアとソフトウエアとを単独又は組み合わせて実現することが出来る。
【００２６】
図４は、本発明の第１の実施の形態による携帯端末装置１の処理動作を示したフローチャートである。図４を参照して、本発明の第１の実施の形態による処理動作を説明する。尚、ここでは、音声及び動画の記録を行う場合を説明する。
【００２７】
携帯端末装置１は、ユーザ操作に基づいて音声及び動画の記録を開始する（ステップＳ０１）。詳細には、マイク部２０は、集音した音を電気信号に変換し、音声モジュール４０へ出力する。音声処理部４１は、マイク部２０から電気信号を受け取り、その電気信号を符号化した原音信号の生成を開始する。一方、画像モジュール７０の撮像部７１は、受けた光を電気信号へ変換する。画像処理部７２は、電気信号を画像データに変換し、格納部６０へ提供する。
【００２８】
ユーザは、音声及び動画の記録中に、携帯端末装置１のキー部３０を押下する。携帯端末装置１は、キー部３０の押下に対応したズーム機能など各種の撮影機能を駆動させる。キー部３０は、ユーザに押下されたことを検知し、ユーザがキー部３０を押下したことを示す検知信号をノイズキャンセラ部４２へ出力する（ステップＳ０２）。
【００２９】
キー部３０が押下されたとき、キー部３０の押下に基づいて衝撃音１００が発生する。マイク部２０は、感度が良く、更にキー部３０の近傍に配置しているため、キー部３０の衝撃音１００を直接音及び反射音として集音する。つまり、マイク部２０は、ユーザ所望の音と共に衝撃音１００も電気信号に変換し、音声モジュール４０へ出力する。従って、音声処理部４１が生成する原音信号には、ユーザ所望の音の他に、キー部３０の押下による衝撃音１００が含まれる。
ノイズキャンセラ部４２は、キー部３０から受け取る検知信号に基づいて動作する。ノイズキャンセラ部４２は、検知信号を受け取ると、マイク部２０から受け取る電気信号に含まれる、キー部３０の押下時の衝撃音１００に相当する電気信号を符号化した音声信号（衝撃音信号）を生成する。詳細には、ノイズキャンセラ部４２は、予めキー部３０の押下時の衝撃音１００に相当する周波数帯の電気信号を有しており、マイク部２０から受け取る電気信号からその周波数帯の電気信号を抽出する。次に、ノイズキャンセラ部４２は、抽出した衝撃音１００に相当する周波数帯の電気信号を符号化し、衝撃音１００を表す衝撃音信号を生成する（ステップＳ０３）。
【００３０】
ノイズキャンセラ部４２は、衝撃音信号に対して逆位相の音声信号を生成する（ステップＳ０４）。
【００３１】
ノイズキャンセラ部４２は、衝撃音信号に対して逆位相の音声信号を音声処理部４１へ提供する。音声処理部４１は、衝撃音１００を含む原音信号と、衝撃音信号に対して逆位相の音声信号とを格納部６０へ提供する。格納部６０は、衝撃音１００を含む原音信号と衝撃音信号に対して逆位相の音声信号とを格納する（ステップＳ０５）。携帯端末装置１は、ユーザ操作に基づいて音声及び動画の記録を終了する。
【００３２】
携帯端末装置１は、ユーザ操作に基づいて、記録された音声及び動画の再生を行う。詳細には、音声処理部４１は、格納部６０から取得した衝撃音１００を含む原音信号と、衝撃音信号に対して逆位相の音声信号とを重ね合わせた電気信号を生成し、スピーカ部１０へ出力する。原音信号と、衝撃音信号に対して逆位相の音声信号とが重ね合わされた電気信号は、衝撃音１００が減衰された音としてスピーカ部１０から出力される（ステップＳ０６）。一方、画像モジュール７０は、音声処理部４１がスピーカ部１０へ出力するとき、格納部６０に格納されている画像データを取得して、表示部８０へ提供する。表示部８０は画像データをユーザが認識できるように表示する。即ち、携帯端末装置１は、衝撃音１００が減衰された音声と、音声と同期する動画とを出力することができる。
【００３３】
本発明の携帯端末装置１は、衝撃音１００を含む原音信号と、衝撃音信号に対して逆位相の音声信号とを重ね合わせた電気信号を、ユーザが認識できる音としてスピーカ部１０から出力することができる。従って、本発明の携帯端末装置１は、音声録音中にユーザ操作に基づいて発生したキー部３０の押下時の衝撃音１００を、音声再生時に減衰させて出力することができる。尚、本発明の第１の実施の形態による携帯端末装置１は、動画撮影時の携帯電話機として説明したが、音声録音時のみでも同様の効果を奏することができる。また、本発明の携帯端末装置１は、携帯電話機に限らずボイスレコーダなど音声を録音できる装置に適用することもできる。
【００３４】
（第２の実施の形態）
図５は、本発明の第２の実施の形態による衝撃音減衰システムを示す模式図である。図５を参照すると、本発明の衝撃音減衰システムは、携帯端末装置２と携帯端末装置３とを具備する。本発明の第２の実施の形態の衝撃音減衰システムは、携帯端末装置２と携帯端末装置３との通話中において、キーの押下時の衝撃音を改善するものである。尚、図５において、携帯端末装置２と携帯端末装置３との通信を接続する交換機等は省略されている。
【００３５】
携帯端末装置２と携帯端末装置３とは、ネットワーク４を介して接続される。携帯端末装置２及び携帯端末装置３は、本発明の第１の実施の形態による携帯端末装置１と同じ構成である。つまり、携帯端末装置２及び携帯端末装置３が具備する各構成要素は図２に示した通りであり、同じ符号を用いて説明する。
【００３６】
図６は、本発明の第２の実施の形態による衝撃音減退システムの処理動作を示したフローチャートである。図６を参照して、本発明の第２の実施の形態による処理動作を説明する。尚、ここでは携帯端末装置２と携帯端末装置３とは通話を開始しているものとする。
【００３７】
携帯端末装置２では、マイク部２０が集音したユーザの声を含む音を電気信号に変換し、音声モジュール４０へ出力する。音声処理部４１は、マイク部２０から受け取る電気信号を符号化した原音信号の生成を開始している。ユーザは、通話中に、携帯端末装置１のキー部３０を押下する。携帯端末装置１は、キー部３０の押下に対応した各種の機能を駆動させる。キー部３０は、ユーザの押下を検知し、ユーザがキー部３０を押下したことを示す検知信号をノイズキャンセラ部４２へ出力する（ステップＳ１０）。
【００３８】
キー部３０が押下されたとき、キー部３０の押下に基づいて衝撃音１００が発生する。マイク部２０は、感度が良く、更にキー部３０の近傍に配置しているため、キー部３０の衝撃音１００を直接音及び反射音として集音する。つまり、マイク部２０は、ユーザの声と共に衝撃音１００も電気信号に変換し、音声モジュール４０へ出力する。従って、音声処理部４１が生成する原音信号には、ユーザの声の他に、キー部３０の押下による衝撃音１００が含まれる。
ノイズキャンセラ部４２は、キー部３０から受け取る検知信号に基づいて動作する。ノイズキャンセラ部４２は、検知信号を受け取ると、マイク部２０から受け取る電気信号に含まれる、キー部３０の押下時の衝撃音１００に相当する電気信号を符号化した音声信号（衝撃音信号）を生成する。衝撃音信号を生成する方法の詳細は、第１の実施の形態と同様である（ステップＳ１１）。
【００３９】
ノイズキャンセラ部４２は、衝撃音信号に対して逆位相の音声信号を生成する（ステップＳ１２）。
【００４０】
ノイズキャンセラ部４２は、衝撃音信号に対して逆位相の音声信号を音声処理部４１へ提供する。音声処理部４１は、衝撃音１００を含む原音信号と、衝撃音信号に対して逆位相の音声信号とを通信部５０へ提供する。通信部５０は、衝撃音１００を含む原音信号と衝撃音信号に対して逆位相の音声信号とを、ネットワーク４を介して携帯端末装置３へ送信する（ステップＳ１３）。
【００４１】
携帯端末装置３では、通信部５０が衝撃音１００を含む原音信号と衝撃音信号に対して逆位相の音声信号とを、ネットワーク４を介して受信する（ステップＳ１４）。
【００４２】
通信部５０は、原音信号と衝撃音信号に対して逆位相の音声信号とを音声処理部４１へ提供する。音声処理部４１は、衝撃音１００を含む原音信号と、衝撃音信号に対して逆位相の音声信号とを重ね合わせた電気信号を生成し、スピーカ部１０へ出力する。原音信号と、衝撃音信号に対して逆位相の音声信号とが重ね合わされた電気信号は、衝撃音１００が減衰された音としてスピーカ部１０から出力される（ステップＳ１５）。
【００４３】
本発明の第２の実施の形態による衝撃音減衰システムは、通話中の携帯端末装置同士が、キー部３０の押下時の衝撃音１００を含む原音信号と衝撃音信号に対して逆位相の音声信号とを送受信することができる。従って、本発明の衝撃音減衰システムは、通話中の音声からキー部３０の衝撃音１００を減衰させることができるため、ユーザは雑音の少ないクリアな音声で通話することが可能となる。以上説明した本発明に係る各実施の形態は、矛盾の無い範囲で組み合わせることが可能である。
【符号の説明】
【００４４】
１      携帯端末装置
２      携帯端末装置
３      携帯端末装置
４      ネットワーク
１０    スピーカ部
２０    マイク部
３０    キー部
４０    音声モジュール
４１    音声処理部
４２    ノイズキャンセラ部
５０    通信部
６０    格納部
７０    画像モジュール
７１    撮像部
７２    画像処理部
８０    表示部
１００  衝撃音
２００  ＣＰＵ
２０１  記憶装置
２０２  入力装置
２０３  出力装置
２０４  バス
【図１】
2011101301.tif 000003
【図２】
2011101301.tif 000004
【図３】
2011101301.tif 000005
【図４】
2011101301.tif 000006
【図５】
2011101301.tif 000007
【図６】
2011101301.tif 000008